(57)【要約】【課題】年金全体の受給見込み額の把握と老後に備えた生活設計を行う点について工夫の余地がある。【解決手段】ユーザが加入しているすべての年金ポートフォリオデータと、年金管理コンピュータ７へアクセスするためのアクセスデータを記憶するユーザデータ記憶部２０と、アクセス情報に基づいて、管理コンピュータ７にアクセスして、ユーザの将来の年金受給データを自動で取得若しくは手動入力し、将来の年金受給見込額を出力する受給シミュレーション部１３を備える。【選択図】図１
2016122366.tif 000002
【特許請求の範囲】
【請求項１】
情報処理装置に実行されるコンピュータプログラムであって、
ユーザが加入しているすべての年金種別に関する情報を含むユーザ情報を記憶する手段と、
ユーザが加入している年金種別の年金商品を管理する管理コンピュータへアクセスするためのアクセス情報を記憶する手段と、
前記アクセス情報に基づいて、前記管理コンピュータにアクセスして、前記ユーザの将来の年金受給見込額に関する年金データを取得する手段と、
前記取得した年金データに基づいて、前記ユーザが加入しているすべての年金種別に対する将来の年金受給見込額を出力する手段と、を前記情報処理装置上に構築するコンピュータプログラム。
【請求項２】
前記コンピュータプログラムは、
前記ユーザが加入している年金種別の指定を受け付けて、前記記憶手段へ格納する受付手段を、前記情報処理装置上にさらに構築し、
前記受付手段は、一の年金種別の指定を受け付けると、指定された年金種別と組み合わせることが可能な他の年金種別のみ指定を受け付け可能とする、請求項１記載のコンピュータプログラム。
【請求項３】
退職年齢及び退職後の必要金額の入力を受け付ける手段と、
前記取得した年金データと、前記指定された退職年齢及び退職後の必要金額とに基づいて、前記将来の年金受給見込額と比較する将来の生活設計シミュレーションを行う手段と、をさらに前記情報処理装置に実行させる請求項２記載のコンピュータプログラム。
【請求項４】
前記生活シミュレーションは、ユーザが指定した、または予め定められたインフレ率を考慮して行う、請求項３記載のコンピュータプログラム。
【請求項５】
ユーザが加入しているすべての年金種別に関する情報を含むユーザ情報を記憶する手段と、
ユーザが加入している年金種別の年金商品を管理する管理コンピュータへアクセスするためのアクセス情報を記憶する手段と、
前記アクセス情報に基づいて、前記管理コンピュータにアクセスして、前記ユーザの将来の年金受給見込額に関する年金データを取得する手段と、
前記取得した年金データに基づいて、前記ユーザが加入しているすべての年金種別に対する将来の年金受給見込額を出力する手段と、を備えた年金ポートフォリオ管理装置。
【発明の詳細な説明】
【技術分野】
【０００１】
本発明は、個人が加入している公的年金に民間年金を合わせた年金ポートフォリオから将来得られるトータルの年金見込額を試算する技術に関する。
【背景技術】
【０００２】
従来、公的年金の受給額を試算し、老後の生活で希望する生活費からの不足額を求め、それを補う個人年金等受給額を試算する公的年金資産装置が、特許文献１に記載されている。
【先行技術文献】
【特許文献】
【０００３】
【特許文献１】特許６２５５０３１号公報
【発明の概要】
【発明が解決しようとする課題】
【０００４】
将来の生活設計を考える上で、年金は金融資産のコア部分を占めている。国民の年金は国が管理する公的年金と民間で蓄える年金（私的年金）に大別される。少子高齢化に伴い、公的年金の受給額は、年々減少し、給付が開始される年齢も遅くなっている。つまり、私的年金の積み立て無しでは、国民は安定した老後の生活が困難になりつつある。
【０００５】
公的年金に関して、その管理及び運用を行っている日本年金機構は、加入者への利便性向上の一環で、個々の加入者に対して、各自の保険料の支払い状況及び将来の受給見込額などの情報を提供するシステム（通称：ねんきんネット）を運用している。
【０００６】
一方、私的年金である確定拠出年金や、年金型保険商品などは、任意加入であるとともに、管理及び運用の主体が民間企業であるため、当然ながら上記のシステムではサポートされていない。
【０００７】
しかしながら、年金加入者が年金を受給する段階を考えると、公的年金と私的年金の区別はあまり意味がなく、いつ、トータルでどれくらいの金額の年金（公的、私的を問わない）を受給できるのかが最大の関心事である。
【０００８】
そこで、本発明の目的は、公的年金のみならず私的年金を含めた年金ポートフォリオから将来得られる年金の見込額（受給見込の総額）を試算し、年金資産全体の把握とその後の投資の意思決定を支援することである。
【０００９】
本発明の別の目的は、年金ポートフォリオから将来得られる年金の見込額と年金生活で必要とされる金額とを比較することである。
【課題を解決するための手段】
【００１０】
本発明の一つの実施態様に従う，情報処理装置に実行されるコンピュータプログラムは、ユーザが加入しているすべての年金種別に関する情報を含むユーザ情報を記憶する手段と、ユーザが加入している年金種別の年金商品を管理する管理コンピュータへアクセスするためのアクセス情報を記憶する手段と、前記アクセス情報に基づいて、前記管理コンピュータにアクセスして、前記ユーザの将来の年金受給見込額に関する年金データを取得する手段と、前記取得した年金データに基づいて、前記ユーザが加入しているすべての年金種別に対する将来の年金受給見込額を出力する手段と、を前記情報処理装置上に構築する。
【００１１】
好適な実施態様では、前記コンピュータプログラムは、前記ユーザが加入している年金種別の指定を受け付けて、前記記憶手段へ格納する受付手段を、前記情報処理装置上にさらに構築する。前記受付手段は、一の年金種別の指定を受け付けると、指定された年金種別と組み合わせることが可能な他の年金種別のみ指定を受け付け可能としてもよい。
【００１２】
好適な実施態様では、退職年齢及び退職後の必要金額の入力を受け付ける手段と、前記取得した年金データと、前記指定された退職年齢及び退職後の必要金額とに基づいて、前記将来の年金受給見込額と比較する将来の生活設計シミュレーションを行う手段と、をさらに前記情報処理装置に実行させてもよい。
【００１３】
好適な実施態様では、前記生活シミュレーションは、ユーザが指定した、または予め用意されたインフレ率を考慮して行ってもよい。
【図面の簡単な説明】
【００１４】
【図１】本発明の一実施形態に係る年金ポートフォリオ管理システムの全体構成図である。
【図２】管理フラグテーブル１１１及び可視化フラグテーブル１１３の一例を示す。
【図３】ユーザデータ記憶部２０のデータ構造の一例を示す。
【図４】年金ポートフォリオ登録画面６００である。
【図５】ユーザ登録部１１が年金ポートフォリオ登録画面６００を用いて行う登録処理のフローチャートである。
【図６】年金ポートフォリオを構成する各年金種別の詳細設定画面６１０である。
【図７】年金ポートフォリオ画面６２０の一例を示す。
【図８】受給シミュレーション部１３の自動取得の処理手順を示すフローチャートである。
【図９】年金受給データ入力画面６３０の一例を示す。
【図１０】年金受給データ３５のデータ構造の一例を示す。
【図１１】受給シミュレーション画面６４０の一例を示す。
【図１２】生活設計データ入力画面６５０の一例を示す。
【図１３】年金生活シミュレーション画面６６０の一例を示す。
【発明を実施するための形態】
【００１５】
以下、本発明の一実施形態に係る年金ポートフォリオ管理システムについて、図面を参照して説明する。
【００１６】
本実施形態では、公的年金及び私的年金を含むすべての年金種別の年金商品を対象とする。年金種別としては、国民年金、厚生年金、共済年金、厚生年金基金、確定拠出年金及び個人年金保険などを含む。
【００１７】
図１は、本実施形態に係る年金ポートフォリオ管理システムの全体構成図である。
【００１８】
同図に示すように、本システムは、ユーザ端末装置１と複数の年金管理コンピュータ７がネットワーク９を介して接続されている。
【００１９】
年金管理コンピュータ７は、ユーザが加入している年金商品に関する情報を管理する。例えば、年金管理コンピュータ７は、日本年金機構や年金商品を扱う保険会社などが、それぞれ加入者（ユーザ）に対して将来の年金見込額等の年金受給データを提供するコンピュータである。ユーザは、予め設定されているログインＩＤ及びＰＩＮを用いて年金管理コンピュータ７にアクセスして、所定の情報を取得できる。本実施形態では、ユーザ端末装置１がアグリゲーション機能を有し、１以上の年金管理コンピュータ７からユーザの年金受給データを収集する。
【００２０】
ユーザ端末装置１は、通信機能を有する情報処理装置であればよく、例えば、ＰＣ、タブレット端末やスマートフォンといった携帯情報端末などでもよい。
【００２１】
ユーザ端末装置１は、年金アプリケーション（以下、年金アプリという）１０と、通信処理部５１と、入出力部５３とを有する。通信処理部５１、及び入出力部５３は、例えば、ユーザ端末装置１が備えるハードウェア、あるいはハードウェアとソフトウェアとの組み合わせにより実現される。
【００２２】
通信処理部５１は、年金管理コンピュータ７と通信を行う。例えば、通信処理部５１は、年金管理コンピュータ７にアクセスするためのアクセス情報を送ってアクセスし、ユーザの年金受給データを取得する。
【００２３】
入出力部５３は、ユーザインタフェースを実現するための入出力装置であり、ＧＵＩ画面を表示する機能及びユーザからの入力を受け付ける機能を有する。入出力部５３は、例えば、液晶ディスプレイ及びタッチセンサを有するタッチパネル、あるいはディスプレイとポインティングデバイスでもよい。
【００２４】
年金アプリ１０は、所定のコンピュータプログラムが、ユーザ端末装置１を構成するハードウェアにより実行されることで、以下に説明する年金アプリ１０内の個々の構成要素がユーザ端末装置１上に構築される。ユーザ端末装置１は年金アプリ１０のインストールプログラムを図示しない所定のサーバから取得することができる。
【００２５】
年金アプリ１０は、ユーザ登録部１１と、受給シミュレーション部１３と、年金生活シミュレーション部１５と、ユーザデータ記憶部２０と、年金受給データ記憶部３０と、生活設計データ記憶部４０とを有する。
【００２６】
ユーザ登録部１１は、ユーザに関する情報の登録を受け付ける。ユーザ登録部１１は、ユーザが加入している年金種別の指定を受け付ける。ユーザ登録部１１が受け付けた情報はユーザデータ記憶部２０に記憶される。ユーザ情報には、ユーザ個人に関する情報であるパーソナルデータと、ユーザが加入している年金に関する年金ポートフォリオデータと、年金管理コンピュータ７へアクセスするためのアクセスデータとが含まれる。
【００２７】
ユーザ登録部１１は、後述するＧＵＩ画面を入出力部５３に表示させて、ユーザからの入力を受け付ける。
【００２８】
ユーザ登録部１１は、管理フラグ及び可視化フラグをそれぞれ管理する管理フラグテーブル１１１及び可視化フラグテーブル１１３を有する。
【００２９】
図２は、管理フラグテーブル１１１及び可視化フラグテーブル１１３の一例を示す。管理フラグ及び可視化フラグは、それぞれ、ユーザ登録部１１が行うユーザ登録処理で使用されるフラグである。管理フラグは、ユーザ登録処理中の年金種別の状態を示すフラグである。可視化フラグは、各種年金種別を後述する年金ポートフォリオ登録画面６００に表示するか否かを示すフラグである。
【００３０】
ユーザデータ記憶部２０は、ユーザによって登録されたユーザデータを記憶する。ユーザデータには、パーソナルデータ２１と、年金ポートフォリオデータ２３と、アクセスデータ２５とを含む。
【００３１】
パーソナルデータ２１は、ユーザの属性データを含む。
【００３２】
年金ポートフォリオデータ２３は、ユーザが加入しているすべての年金種別に関する情報を含む。
【００３３】
アクセスデータ２５は、年金管理コンピュータ７へアクセスするためのデータである。
【００３４】
図３は、ユーザデータ記憶部２０のデータ構造の一例を示す。
【００３５】
同図Ａは、パーソナルデータ２１のデータ構造の一例を示す。パーソナルデータ２１は、ユーザＩＤ２１０と、パスワード２１２と、氏名２１４と、生年月日２１６と、年齢２１８とをデータ項目として有する。
【００３６】
ユーザＩＤ２１０及びパスワード２１２は、本システムのユーザＩＤ及びパスワードである。
【００３７】
同図Ｂは、年金ポートフォリオデータ２３のデータ構造の一例を示す。年金ポートフォリオデータ２３は、ユーザＩＤ２３０及びユーザが加入している年金種別の識別情報である年金種別ＩＤ２３２を有する。ユーザが複数種類の年金に加入しているときは、一以上の年金種別ＩＤ２３２が年金ポートフォリオデータ２３として登録される。年金種別ＩＤ２３２は年金ポートフォリオ登録画面６００（図４参照）で設定された年金種別の識別情報が設定される。
【００３８】
同図Ｃは、アクセスデータ２５のデータ構造の一例を示す。アクセスデータ２５は、ユーザＩＤ２５０、年金管理コンピュータのログインＩＤ２５２及びＰＩＮ２５４を有する。ログインＩＤ２５２及びＰＩＮ２５４は、詳細設定画面６１０（図６参照）で登録された、年金管理コンピュータ７のログインＩＤ及びＰＩＮである。一人のユーザが複数の（金融機関等）年金情報取得元のログインＩＤ２５２及びＰＩＮ２５４を登録することが可能である。
【００３９】
図４は、年金ポートフォリオ登録画面６００である。ユーザは年金ポートフォリオ登録画面６００において、自己が加入しているすべての年金種別、すなわち年金ポートフォリオを登録する。年金ポートフォリオ登録画面６００では、複数の年金種別の選択が可能である。ユーザ登録部１１は、可視化フラグが「Ｖｉｓｉｂｌｅ」を示す「１」の年金種別を年金ポートフォリオ登録画面６００に表示させる。
【００４０】
同図Ａが年金ポートフォリオ登録画面６００の初期画面６００Ａである。初期画面６００Ａには、現存するすべての年金種別が選択可能に表示されている。ユーザは、初期画面６００Ａにおいて、まず、自分の加入している年金種別を選択する。
【００４１】
同図Ｂは、初期画面６００Ａでいずれかの年金種別が選択されたときに遷移する遷移画面６００Ｂである。遷移画面６００Ｂでは、既に選択済みの年金種別と、選択可能な年金種別とが表示される。
【００４２】
図５は、ユーザ登録部１１が年金ポートフォリオ登録画面６００を用いて行う登録処理のフローチャートである。図４及び図５を参照してユーザ登録部１１の処理手順を説明する。
【００４３】
まず、ユーザ登録部１１は管理フラグテーブル１１１の管理フラグ及び可視化フラグテーブル１１３の可視化フラグをすべて初期化する（Ｓ１１）。すなわち、ユーザ登録部１１は、管理フラグテーブル１１１のすべてのフラグを「対象外」を示す「０」にセットし、可視化フラグテーブル１１３のすべてのフラグを「Ｖｉｓｉｂｌｅ」を示す「１」にセットする。これにより、入出力部５３には図４Ａに示す、すべての年金種別が表示された初期画面６００Ａが表示される。
【００４４】
年金ポートフォリオの登録が完了していないときは（Ｓ１３：Ｎｏ）、ユーザ登録部１１は、可視化フラグが「１」の年金種別を年金ポートフォリオ登録画面６００に表示させる（Ｓ１４）。初期画面６００Ａでは任意の年金種別の選択を受け付ける（Ｓ１５）。ユーザ登録部１１は、選択された年金種別に応じて予め定められたロジックに従って、管理フラグ及び可視化フラグを設定する。
【００４５】
例えば、図５のフローチャートには、国民年金、厚生年金、及び確定拠出年金が選択された場合の処理例が記載されている。つまり、国民年金が選択された場合には、ユーザ登録部１１は国民年金の管理フラグを「１」にセットする（Ｓ１７）。厚生年金が選択された場合には、ユーザ登録部１１は、厚生年金及び国民年金の管理フラグを「対象」を示す「１」にセットし（Ｓ１９）、共済年金の可視化フラグを「Ｈｉｄｄｅｎ」を示す「０」にセットする（Ｓ２１）。確定拠出年金が選択された場合には、ユーザ登録部１１は、確定拠出年金、厚生年金及び国民年金の管理フラグに「対象」を示す「１」をセットし（Ｓ２３）、共済年金の可視化フラグに「Ｈｉｄｄｅｎ」を示す「０」をセットする（Ｓ２５）。尚、年金制度が変わり、制度の統廃合が起きた場合はそれに準ずる。
【００４６】
このときの画面の表示について、図４を参照して説明する。
【００４７】
初期画面６００Ａで任意の一つが選択されると、遷移画面６００Ｂへ遷移する。このとき、遷移画面６００Ｂには、初期画面６００Ａで選択された年金種別と組み合わせることが可能な年金種別のみが選択可能に表示される。つまり、ユーザ登録部１１は、一の年金種別の指定を受け付けると、指定された年金種別と組み合わせることが可能な他の年金種別のみ指定を受け付け可能とする。例えば、上記の例のように、厚生年金と共済年金の両方に加入することはできないので、これらのいずれか一方が選択されときは、他方を非表示として選択できない状態にしてもよい。具体的には、上述のフローチャートのように、非表示とする年金種別の可視化フラグを「Ｈｉｄｄｅｎ」に設定する。
【００４８】
また、選択された年金種別と組み合わせることが必須の年金種別が決まっている場合は、ユーザ登録部１１は、遷移画面６００Ｂにおいて、その必須の年金種別がすべて選択された状態で表示させてもよい。例えば、確定給付年金は、国民年金及び厚生年金と組み合わせることが必須（確定給付年金は国民年金及び厚生年金の加入が前提）なので、確定給付年金が選択された場合、ユーザ登録部１１は、上述のフローチャートのように、管理フラグを「１」に設定し、国民年金及び厚生年金も自動的に選択された状態としてもよい。
【００４９】
図５に戻る。ユーザから所定の入力を受け付けるなどして、ポートフォリオの登録が完了すると（Ｓ１３：Ｙｅｓ）、ユーザ登録部１１は、この段階で管理フラグが初期値である「対象外」を示す「０」の年金種別の可視化フラグを、「Ｈｉｄｄｅｎ」を示す「０」にする（Ｓ２７）。これにより、遷移画面６００Ｂでは、可視化フラグが「０」の年金種別が表示されなくなる。
【００５０】
この状態で、ユーザ登録部１１は、遷移画面６００Ｂに次の画面への遷移を促す「次へ」ボタンを表示させる（Ｓ２９）。ユーザがこの「次へ」ボタンを押下すると、図６の詳細設定画面６１０へ画面が遷移する。
【００５１】
図６は、年金ポートフォリオを構成する各年金種別の詳細設定画面６１０である。詳細設定画面６１０で入力されたデータが、アクセスデータ２５として、ユーザデータ記憶部２０に登録される。
【００５２】
詳細設定画面６１０では、年金ポートフォリオ登録画面６００で選択された年金種別に関する情報の入力を受け付ける。詳細設定画面６１０は、例えば、管理フラグが「１」の年金種別について、受給データの更新モードの指定を受け付ける。
【００５３】
更新モードには、自動取得モードとマニュアル取得モードとがある。自動取得モードは、ユーザ端末装置１が年金管理コンピュータ７にアクセスして、年金管理コンピュータ７から年金受給データを自動的に取得する。すなわち、自動取得モードでは、アグリゲーション機能が発揮される。マニュアル取得モードのときは、年金管理コンピュータ７にアクセスせずに、毎回ユーザに年金受給データを入力させる。
【００５４】
同図の例では、国民年金及び厚生年金と、確定拠出年金について、自動取得モードとするか、マニュアルモードとするかの選択を受け付ける。ユーザが自動取得モードを選択するときは、詳細設定画面６１０は、それぞれの年金種別に対応するログインＩＤ６１１及びＰＩＮ６１３の入力領域にそれぞれの入力を受け付ける。登録ボタン３１５が押下されると自動取得モードの選択が確定する。
【００５５】
マニュアル登録モードの場合は、登録ボタン３１７が押下されると、後述する年金受給データ入力画面６３０（図９参照）において、年金受給開始年齢、年金受給期間、及び基本年金額（年額）の入力を受け付ける。入力されたデータは年金受給データ記憶部３０に保存される。
【００５６】
自動取得モードまたはマニュアル取得モードの登録ボタン３１５、３１７が押下されると、ユーザ登録部１１は、その年金種別の管理フラグを「決定」を示す「２」に設定する。
【００５７】
自動取得モードが選択されたとき、ユーザ登録部１１は、詳細設定画面６１０で入力されたログインＩＤ及びＰＩＮの認証を行ってもよい。例えば、ユーザ登録部１１は、年金種別及び入力されたログインＩＤの桁数から、ユーザのその年金種別の年金商品を管理している年金管理コンピュータ７を特定する。ユーザ登録部１１は、特定された年金管理コンピュータ７へアクセスして、そのログインＩＤに対応する氏名を取得して、パーソナルデータの氏名２１４と照合する。ユーザ登録部１１は、この照合で氏名が一致した場合に、入力されたログインＩＤ及びＰＩＮをアクセスデータ２５として登録するようにしてもよい。
【００５８】
図１に戻ると、受給シミュレーション部１３は、ユーザが加入するすべての年金種別の年金受取予定額（総額）のシミュレーションを行う。
【００５９】
受給シミュレーション部１３は、年金ポートフォリオデータ２３及びアクセスデータ２５に登録されているデータに基づいて、年金ポートフォリオ画面６２０を入出力部５３に表示させる。
【００６０】
図７は、年金ポートフォリオ画面６２０の一例を示す。
【００６１】
年金ポートフォリオ画面６２０は、ポートフォリオを構成する年金種別６２１と、各年金種別の更新モード６２２と、ログインＩＤ６２３と、更新日時６２４と、シミュレーション指示部６２５とが表示されている。ここで、シミュレーション指示部６２５がシミュレーション開始の指示を受け付けると、受給シミュレーション部１３は、以下に説明する処理により年金受給データを取得する。
【００６２】
自動取得モードの場合、受給シミュレーション部１３は、アクセスデータ２５に基づいて、年金管理コンピュータ７にアクセスして、ユーザの将来の年金受給額に関する年金受給データを取得する。取得した年金受給データは年金受給データ記憶部３０に保存される。
【００６３】
図８は、受給シミュレーション部１３の自動取得の処理手順を示すフローチャートである。
【００６４】
受給シミュレーション部１３は、アクセスデータ２５に登録されているログインＩＤ２５２及びＰＩＮ２５４に基づいて、対応する年金管理コンピュータ７にアクセスする（Ｓ３１）。年金管理コンピュータ７にて認証に失敗した場合は（Ｓ３３：Ｎｏ）、所定のエラー通知を行って処理を終了する（Ｓ３５）。年金管理コンピュータ７での認証が成功した場合は（Ｓ３３：Ｙｅｓ）、年金管理コンピュータ７から年金受給データを取得して、年金受給データ記憶部３０に保存する（Ｓ３７）。年金受給データは、例えば、受給開始年齢、受給期間、一年当たりの基礎年金額などを含む。受給シミュレーション部１３は、年金受給データ記憶部３０に保存した日時を更新日時として保存する（Ｓ３９）。
【００６５】
ログインＩＤ２５２及びＰＩＮ２５４が複数登録されている場合には、受給シミュレーション部１３は、それぞれのログインＩＤ２５２及びＰＩＮ２５４を用いて年金受給データを自動取得する。
【００６６】
これにより、自動取得モードで登録されている年金種別については、受給シミュレーション部１３が年金管理コンピュータ７から年金受給データを自動的に取得する。
【００６７】
マニュアル取得モードの場合は、ユーザが年金受給データ入力画面６３０に対して年金受給データを入力する。
【００６８】
図９は、年金受給データ入力画面６３０の一例を示す。同図の年金受給データ入力画面６３０は、年金保険の受給データの入力画面である。ここでは、年金の受給を開始する年齢、年金を受給する期間及び一年当たりの基本年金額の入力を受け付ける。ここで入力されたデータ及びそのときの日時（更新日時）が年金受給データ３５として年金受給データ記憶部３０に保存される。
【００６９】
年金受給データ記憶部３０は、年金の受給条件等を含む年金受給データ３５を保存する。
【００７０】
図１０は、年金受給データ３５のデータ構造の一例を示す。年金受給データ３５は、データ項目として、ユーザＩＤ３５０、年金種別ＩＤ３５１、年金受給開始年齢３５２、年金受給期間３５３、基本年金額３５４及び更新日時３５５を有する。つまり、年金種別ごとに年金管理コンピュータ７から取得した、またはユーザによって入力された年金受給データが年金受給データ記憶部３０に保存される。
【００７１】
受給シミュレーション部１３は、年金受給データ記憶部３０に保存されている受給データに基づいて、図１１に示す受給シミュレーション画面６４０を表示させる。同図に示す受給シミュレーション画面６４０の一例では、ポートフォリオを構成する年金種別ごとに、受給方法、受給時期、受給金額がグラフと表で表示される。金額は税引き後の受取額でもよい。
【００７２】
年金生活シミュレーション部１５は、退職後の生活に必要な資金のシミュレーション（年金生活シミュレーション）を行う。年金生活シミュレーション部１５は、例えば、退職年齢及び退職後の必要金額の入力を受け付ける。年金生活シミュレーション部１５は、例えば、取得した年金データと、指定された退職年齢及び退職後の必要金額とに基づいて、ユーザの将来の年金生活シミュレーションを行う。これにより、年金生活シミュレーション部１５は、年金受給見込み額と必要生活資金との乖離を明らかにする。
【００７３】
図１２は生活設計データ入力画面６５０の一例を示す。生活設計データ入力画面６５０は、同図に示すように、毎月の生活資金、インフレ率、現在の年齢、退職年齢、及び退職金受取額の入力領域を有する。
【００７４】
年金生活シミュレーション部１５は、生活設計データ入力画面６５０を入出力部５３に表示させる。年金生活シミュレーション部１５は、生活設計データ入力画面６５０に対する入力を受け付けて、入力されたデータを生活設計データとして生活設計データ記憶部４０に保存する。インフレ率の入力は必須でなくてよい。インフレ率が入力されなかったときは、所定のインフレ率（先進国のインフレ率、あるいは日本政府が目標に掲げるインフレ率などでよい）が用いられる。
【００７５】
年金生活シミュレーション部１５は、保存された生活設計データに基づいて、年間に必要とされる金額を算出する。年金生活シミュレーション部１５は、将来の年金額をインフレ率を考慮して、現在価値に置き換えてもよい。各種年金の受け取り方法、すなわち、年金で受け取るかまたは一時金で受け取るかはユーザが選択可能としてもよい。
【００７６】
さらに、年金生活シミュレーション部１５は、ここで算出された年間に必要とされる金額と、年金受給データ記憶部３０に保存されている年金受給データに基づく年金受給見込額とを比較する。そして、年金受給見込額が不足する場合、年金生活シミュレーション部１５は、その不足額に基づいて、今後さらに積立が必要な金額（不足総金額、及び月々積立金額）を算出する。
【００７７】
年金生活シミュレーション部１５は、年金生活シミュレーション画面６６０を入出力部５３に表示させる。
【００７８】
図１３は、年金生活シミュレーション画面６６０の一例を示す。同図に例示するように、年金生活シミュレーション画面６６０には、上述の年金生活シミュレーションの結果がグラフと表で表示される。例えば、年金生活シミュレーション画面６６０には、年齢毎の受給金額をグラフ表示してもよい。年金生活シミュレーション部１５は、年金が不足しそうな時期及び金額を強調表示してもよい。
【００７９】
本実施形態によれば、公的年金であるか私的年金であるかを問わず、ユーザが加入しているすべての年金の受給見込額を把握することができる。さらに、本実施形態によれば、このすべての年金の受給見込額と年金生活において必要とされる金額との乖離と、それを埋めるために必要な積立金額なども把握することもできる。
【００８０】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８１】
例えば、年金アプリはユーザ端末装置ではなく、ユーザ端末装置とネットワークを介して接続されたサーバに搭載されていてもよい。
【符号の説明】
【００８２】
１        ユーザ端末装置
７        年金管理コンピュータ
１０      年金アプリ
１１      ユーザ登録部
１３      受給シミュレーション部
１５      年金生活シミュレーション部
２０      ユーザデータ記憶部
３０      年金受給データ記憶部
４０      生活設計データ記憶部
６００    年金ポートフォリオ登録画面
６１０    詳細設定画面
６２０    年金ポートフォリオ画面
６３０    年金受給データ入力画面
６４０    受給シミュレーション画面
６５０    生活設計データ入力画面
６６０    年金生活シミュレーション画面
【図１】
2016122366.tif 000003
【図２】
2016122366.tif 000004
【図３】
2016122366.tif 000005
【図４】
2016122366.tif 000006
【図５】
2016122366.tif 000007
【図６】
2016122366.tif 000008
【図７】
2016122366.tif 000009
【図８】
2016122366.tif 000010
【図９】
2016122366.tif 000011
【図１０】
2016122366.tif 000012
【図１１】
2016122366.tif 000013
【図１２】
2016122366.tif 000014
【図１３】
2016122366.tif 000015